(57)【特許請求の範囲】
【請求項１】
磁気ギャップを有する磁気回路と、
前記磁気ギャップ内に配置され、当該磁気ギャップ内に発生する磁束の延在方向と略直交する方向に延在する凹部を有する振動板と、
一方向に延在する１つの平行部と、前記１つの平行部と平行な方向に延在し、前記１つの平行部との間で環状の形状を形成する少なくとも１つの他の平行部と、を含むボイスコイルと、を備え、
前記１つの平行部及び前記少なくとも１つの他の平行部は、各々前記凹部の延在方向と平行な方向に配置されており、
前記１つの平行部の全部又は一部は、前記凹部内に配置され、前記磁気ギャップ内に位置していると共に、前記少なくとも１つの他の平行部は前記振動板の上側に且つ放音側に位置していることを特徴とするスピーカー装置。
【請求項２】
磁気ギャップを有する磁気回路と、
前記磁気ギャップ内に配置され、当該磁気ギャップ内に発生する磁束の延在方向と略直交する方向に延在する凹部を有する振動板と、
環状の形状を有し、一方向に延在する第１の平行部と、前記第１の平行部と平行な方向に延在し、前記第１の平行部と一定の間隔をおいて対向する第２の平行部と、を含むボイスコイルと、を備え、
前記第１の平行部及び前記第２の平行部は、各々前記凹部の延在方向と平行な方向に配置されており、
前記第１の平行部の全部又は一部は、前記凹部内に配置され、前記磁気ギャップ内に位置していると共に、前記第２の平行部は前記凹部の上方に且つ前記振動板の放音側に位置していることを特徴とするスピーカー装置。
【請求項３】
磁気ギャップを有する磁気回路と、
前記磁気ギャップ内に配置され、当該磁気ギャップ内に発生する磁束の延在方向と略直交する方向に延在する凹部を有する振動板と、
Ｙ字の断面形状を有し、一方向に延在する第１の平行部としての第１部分と、前記第１の平行部と平行な方向に延在する第２の平行部を含み、前記第１の平行部との間で環状の形状を形成する第２部分と、前記第１の平行部と平行な方向に延在し且つ前記磁束の延在方向に対応する前記第１の平行部の幅方向の中心を通る中心線に対して前記第２の平行部と対称的な位置に配置される第３の平行部を含み、前記第１の平行部との間で環状の形状を形成する第３部分と、を有するボイスコイルと、を備え、
前記第１の平行部、前記第２の平行部及び前記第３の平行部は、各々前記凹部の延在方向と平行な方向に配置されており、
前記第１の平行部の全部又は一部は、前記凹部内に配置され、前記磁気ギャップ内に位置していると共に、前記第２の平行部及び前記第３の平行部は前記振動板の放音側の上面に各々固定されていることを特徴とするスピーカー装置。
【請求項４】
前記第１の平行部と前記第２の平行部との間にある間隙の音放射方向の長さは、
前記磁気ギャップの音放射方向の長さよりも短いことを特徴とする請求項２に記載のスピーカー装置。
【請求項５】
前記ボイスコイルに音声電流が入力され、前記ボイスコイルが前記振動板の音の放射方向と逆方向に大きく移動した場合に、前記第２の平行部及び前記第３の平行部が前記磁気ギャップ内に位置するように、前記第１の平行部と、前記第２の平行部及び前記第３の平行部との位置関係が規定されていることを特徴とする請求項３に記載のスピーカー装置。
【請求項６】
前記磁気ギャップは前記磁気回路の略中央位置に形成され、
前記振動板は長円状又は楕円状の平面形状に形成されていると共に、当該振動板の前記凹部は、細長い形状に且つＵ字状の断面形状に形成され、当該振動板の略中央位置及び前記磁気ギャップ内に配置されていることを特徴とする請求項１乃至３のいずれか一項に記載のスピーカー装置。
【請求項７】
前記第１の平行部の全部又は一部は前記凹部内の側面に狭持された状態で固定されていることを特徴とする請求項２乃至６のいずれか一項に記載のスピーカー装置。
【請求項８】
前記第１の平行部に流れる音声電流の向きと、前記第２の平行部に流れる前記音声電流の向きとは相対的に逆向きの関係に設定されていることを特徴とする請求項２に記載のスピーカー装置。
【請求項９】
前記第１の平行部に流れる音声電流の向きと、前記第２の平行部及び前記第３の平行部の各々に流れる前記音声電流の向きとは相対的に逆向きの関係に設定されていることを特徴とする請求項３に記載のスピーカー装置。
【請求項１０】
前記磁気回路は、ヨークと、直方体状の形状を有し、前記ヨークの上面に一定の間隔をおいて対向配置されると共に、Ｓ極及びＮ極の相対的な着磁状態が前記振動板の振動方向に上下逆の位置関係にある一対のマグネットと、直方体状又は平板状の形状を有し、前記一対のマグネットの各々の上面に対向配置された一対のプレートと、を備え、
前記一対のプレートの間には１つの前記磁気ギャップが形成されていることを特徴とする請求項２に記載のスピーカー装置。
【請求項１１】
前記一対の前記プレートのうち少なくとも一方の前記プレートの上面には他のマグネットが配置され、
前記他の前記マグネットと、前記プレートを挟んで対向する前記マグネットとのＳ極及びＮ極の相対的な着磁状態は前記振動板の振動方向に上下逆の位置関係に設定されていることを特徴とする請求項２に記載のスピーカー装置。
【請求項１２】
前記磁気回路は、ヨークと、直方体状の形状を有し、前記ヨークの上面に配置された１つのマグネットと、前記１つの前記マグネットと一定の間隔をおいて前記ヨークの前記上面に対向配置された磁性体と、直方体状又は平板状の形状を有し、前記１つの前記マグネットの上面に配置された１つのプレートと、を備え、
前記１つの前記プレートと前記磁性体との間には１つの前記磁気ギャップが形成されていることを特徴とする請求項２に記載のスピーカー装置。
【請求項１３】
前記磁気回路は、ヨークと、直方体状の形状を有し、前記ヨークの上面に一定の間隔をおいて対向配置されると共に、Ｓ極及びＮ極の相対的な着磁状態が前記磁束の延在方向に左右逆の位置関係にある一対のマグネットと、を備え、
前記一対のマグネットの間には１つの前記磁気ギャップが形成されていることを特徴とする請求項２に記載のスピーカー装置。
【請求項１４】
前記磁気回路は、ヨークと、直方体状の形状を有し、前記ヨークの上面に配置された１つのマグネットと、前記１つの前記マグネットと一定の間隔をおいて前記ヨークの前記上面に対向配置された磁性体と、を備え、
前記１つのマグネットと前記磁性体との間には１つの前記磁気ギャップが形成されていることを特徴とする請求項２に記載のスピーカー装置。
【請求項１５】
前記第２の平行部の全部又は一部は、前記凹部内に配置され、当該凹部の側面に狭持された状態で固定されていることを特徴とする請求項１又は２に記載のスピーカー装置。
【請求項１６】
筒状の形状並びに環状及び長円状又は楕円状の平面形状を有し、前記磁気回路を収容するフレームを備え、
前記フレームの上面側の外周部には階段状の形状を有する段部が形成され、
前記振動板は、前記凹部の周囲に設けられ、半球状の断面形状を有し、音波を放射する機能を有する放音部と、前記放音部の外周部に設けられ、前記フレームの前記段部と嵌合する階段状の形状を有する段部と、を含み、
前記振動板の前記段部は、前記フレームの前記段部に嵌合していると共に、前記凹部は前記フレームの略中央位置に配置されていることを特徴とする請求項１乃至３のいずれか一項に記載のスピーカー装置。
【請求項１７】
前記放音部はエッジの機能を有し、
前記放音部の短手方向の長さは、前記振動板の短手方向の長さの大半を占めていることを特徴とする請求項１６に記載のスピーカー装置。
【請求項１８】
請求項１乃至１７のいずれか一項に記載のスピーカー装置を備えることを特徴とする携帯電話機。
【発明の詳細な説明】
【技術分野】
【０００１】
本発明は、携帯電話等に好適に用いることが可能なスピーカー装置の構造に関する。
【背景技術】
【０００２】
従来より、長方形の振動板を有し、かかる振動板の中央に直線状のボイスコイルを配置して構成されるリッフェル型スピーカーが知られている（例えば、非特許文献１を参照）。この種の構成を有するスピーカーが、例えば特許文献１乃至４に記載されている。
【０００３】
特許文献１に記載のスピーカーは、主として、上下２つの平行した且つ磁束方向が逆となる磁気ギャップを設けた磁気回路及び２つの振動板を有し、各振動板の背面側の略中央に上下の２つのボイスコイルが夫々配置されてなる。かかる構成により、口径及び横幅を狭くした細長構造をとっても、最低共振周波数ｆ０を低くすることができ、耐入力及び低音再生と音圧周波数特性の向上を図ることができるとされている。
【０００４】
また、特許文献２に記載のスピーカーも上記した特許文献１と略同様の構成を有し、さらに同位相の音波が２つの振動板から放射されるように構成され、これにより背面からの音の干渉を防止することができるとされている。
【０００５】
また、特許文献３に記載のスピーカーは、主として、長方形の２つの振動板をドーム状に貼り合わせてなり、各振動板の他辺側に２つの平面状ボイスコイルを設け、その平面状ボイスコイルが磁気空隙内に配置されて構成される。これにより、磁気空隙の空隙幅を非常に小さくでき、安価な比較的磁気の力が小さいマグネットを使用しても、磁気空隙の磁気の力を非常に大きくでき、安価で且つ高音質の高音用のスピーカーが得られるとしている。
【０００６】
また、特許文献４に記載のスピーカーは、主として、細長形状の振動板と、振動板に結合されると共に磁気回路の磁気空隙に挿入される板状の駆動力伝達部材と、略Ｓ字状のダンパーと、駆動力伝達部材に結合されるボイスコイルとを含んで構成されている。これにより、上下方向の変位差を抑制し、大振幅時の非線形歪みを低減し、低音域再生を可能としている。かかるスピーカーでは、１つ又は２つの磁気空隙が設けられ、かかる磁気空隙内にボイスコイルが配置されている。
【０００７】
なお、スピーカーにおける、振動板の所定位置へのボイスコイルの支持方法が、例えば特許文献５及び６に記載されている。
【０００８】
特許文献５に記載のスピーカーでは、振動板の外周縁部に断面Ｕ字状の凹部がリング状に設けられ、さらに、その凹部の外周縁部にはエッジダンパーが設けられ、その凹部内に円筒状のボイスコイルが接着剤によって接着されている。そして、かかるボイスコイルは、エッジダンパーによって凹部と共に磁気回路の磁気ギャップ内に配され浮遊支持されている。また、特許文献６に記載のスピーカーでは、振動板は、その半球状の主部の端縁部に設けられた短筒部の外周面にボイスコイルを配設している。
【０００９】
【非特許文献１】佐伯多門著、「新版スピーカー＆エンクロージャー百科」、株式会社  誠文堂新光社、２００２年８月１日  第３刷、Ｐ４０
【特許文献１】特開平１１−１８７４８４号公報
【特許文献２】特開平１１−１８７４８５号公報
【特許文献３】特開２０００−３５０２８４号公報
【特許文献４】特開平１０−１９１４９４号公報
【特許文献５】特許第３３３７６３１号公報
【特許文献６】特許第３３３４８４２号公報
【発明の開示】
【発明が解決しようとする課題】
【００１０】
しかしながら、上記の特許文献１及び２に係るスピーカー装置では、それらの構成上、振動板の振動方向に対応するスピーカー装置の厚さが厚くなり、近年、薄型化しつつある携帯電話などに適用し難いという問題がある。
【００１１】
本発明が解決しようとする課題としては、上記のようなものが例として挙げられる。本発明は、低音が得られ、薄型化及びスリム化が可能なスピーカー装置等を提供することを課題とする。
【課題を解決するための手段】
【００１２】
請求項１に記載の発明は、スピーカー装置であって、磁気ギャップを有する磁気回路と、前記磁気ギャップ内に配置され、当該磁気ギャップ内に発生する磁束の延在方向と略直交する方向に延在する凹部を有する振動板と、一方向に延在する１つの平行部と、前記１つの平行部と平行な方向に延在し、前記１つの平行部との間で環状の形状を形成する少なくとも１つの他の平行部と、を含むボイスコイルと、を備え、前記１つの平行部及び前記少なくとも１つの他の平行部は、各々前記凹部の延在方向と平行な方向に配置されており、前記１つの平行部の全部又は一部は、前記凹部内に配置され、前記磁気ギャップ内に位置していると共に、前記少なくとも１つの他の平行部は前記振動板の上側に且つ放音側に位置していることを特徴とする。
【００１３】
請求項２に記載の発明は、スピーカー装置であって、磁気ギャップを有する磁気回路と、前記磁気ギャップ内に配置され、当該磁気ギャップ内に発生する磁束の延在方向と略直交する方向に延在する凹部を有する振動板と、環状の形状を有し、一方向に延在する第１の平行部と、前記第１の平行部と平行な方向に延在し、前記第１の平行部と一定の間隔をおいて対向する第２の平行部と、を含むボイスコイルと、を備え、前記第１の平行部及び前記第２の平行部は、各々前記凹部の延在方向と平行な方向に配置されており、前記第１の平行部の全部又は一部は、前記凹部内に配置され、前記磁気ギャップ内に位置していると共に、前記第２の平行部は前記凹部の上方に且つ前記振動板の放音側に位置していることを特徴とする。
【００１４】
請求項３に記載の発明は、スピーカー装置であって、磁気ギャップを有する磁気回路と、前記磁気ギャップ内に配置され、当該磁気ギャップ内に発生する磁束の延在方向と略直交する方向に延在する凹部を有する振動板と、Ｙ字の断面形状を有し、一方向に延在する第１の平行部としての第１部分と、前記第１の平行部と平行な方向に延在する第２の平行部を含み、前記第１の平行部との間で環状の形状を形成する第２部分と、前記第１の平行部と平行な方向に延在し且つ前記磁束の延在方向に対応する前記第１の平行部の幅方向の中心を通る中心線に対して前記第２の平行部と対称的な位置に配置される第３の平行部を含み、前記第１の平行部との間で環状の形状を形成する第３部分と、を有するボイスコイルと、を備え、前記第１の平行部、前記第２の平行部及び前記第３の平行部は、各々前記凹部の延在方向と平行な方向に配置されており、前記第１の平行部の全部又は一部は、前記凹部内に配置され、前記磁気ギャップ内に位置していると共に、前記第２の平行部及び前記第３の平行部は前記振動板の放音側の上面に各々固定されていることを特徴とする。
【発明を実施するための最良の形態】
【００１５】
本発明の１つの実施形態では、スピーカー装置は、磁気ギャップを有する磁気回路と、前記磁気ギャップ内に配置され、当該磁気ギャップ内に発生する磁束の延在方向と略直交する方向に延在する凹部を有する振動板と、一方向に延在する１つの平行部と、前記１つの平行部と平行な方向に延在し、前記１つの平行部との間で環状の形状を形成する少なくとも１つの他の平行部と、を含むボイスコイルと、を備え、前記１つの平行部及び前記少なくとも１つの他の平行部は、各々前記凹部の延在方向と平行な方向に配置されており、前記１つの平行部の全部又は一部は、前記凹部内に配置され、前記磁気ギャップ内に位置していると共に、前記少なくとも１つの他の平行部は前記振動板の上側に且つ放音側に位置している。
【００１６】
上記のスピーカー装置は、磁気ギャップを有する磁気回路と、その磁気ギャップ内に配置され、当該磁気ギャップ内に発生する磁束（磁力）の延在方向と略直交する方向に延在する凹部を有する振動板と、一方向に延在する１つの平行部と、その１つの平行部と平行な方向に延在し、その１つの平行部との間で環状の形状を形成する少なくとも１つの他の平行部と、を含むボイスコイルと、を備えて構成される。好適な例では、１つの平行部に流れる音声電流の向きと、少なくとも１つの他の平行部に流れる音声電流の向きとは相対的に逆向きの関係に設定することができる。また、好適な例では、ボイスコイルに過大な音声電流が入力され、ボイスコイルが振動板の音の放射方向と逆方向に大きく移動した場合に、少なくとも１つの他の平行部が磁気ギャップ内に位置するように、１つの平行部と少なくとも１つの他の平行部との位置関係が規定されているのが好ましい。
【００１７】
特に、このスピーカー装置では、１つの平行部及び少なくとも１つの他の平行部は、各々凹部の延在方向と平行な方向に配置されており、１つの平行部の全部又は一部は、凹部内に配置され、磁気ギャップ内に位置していると共に、少なくとも１つの他の平行部は振動板の上側に且つ放音側に位置している。これにより、ボイスコイルの１つの平行部は、音の放射方向と逆側に位置する磁気回路の近傍位置に配置されることになり、当該スピーカー装置の薄型化を図ることができる。また、振動板の凹部は、磁束の延在方向と略直交する方向に延在するように形成され、１つの平行部及び少なくとも１つの他の平行部は、各々凹部の延在方向と平行な方向に配置されており、その凹部内には１つの平行部の全部又は一部が配置されているので、当該スピーカー装置のスリム化を図ることができる。よって、近年、益々薄型化及びスリム化されつつある携帯電話において、その受信用及び／又は着信用のスピーカー装置として好適に用いることが可能となる。また、このような薄型化及びスリム化を実現するスピーカー装置は、携帯電話用のスピーカー装置以外にも、モバイル用又は近接音場用の各種電子機器に好適に用いることができる。
【００１８】
また、このスピーカー装置では、ボイスコイルの１つの平行部において一定の方向へ音声電流が流れると、当該１つの平行部は、フレミングの左手の法則によって、かかるスピーカー装置の中心軸方向に振動する。これにより、振動板を通じて所定の方向に音波が放射される。しかしながら、このスピーカー装置の駆動時に、何らかの原因によりボイスコイルに過大な音声電流が入力され、ボイスコイルがスピーカー装置の音の放射方向と逆側の磁気回路側に大きく移動して、１つの平行部及び少なくとも１つの他の平行部が磁気ギャップ内に位置すると、１つの平行部と少なくとも１つの他の平行部とには相対的に逆向きの且つ同一の駆動力が作用する。
【００１９】
特に、このスピーカー装置では、少なくとも１つの他の平行部は振動板の上側に且つ放音側に位置しているので、上記のような場合でも、１つの平行部及び少なくとも１つの他の平行部と磁気ギャップ内に発生する磁束との相互作用により、即ち、磁気ギャップ内において１つの平行部に働く駆動力と、少なくとも１つの他の平行部に働く、１つの平行部と逆向きの且つ同一の駆動力とが均衡し、少なくとも１つの他の平行部が、その位置からそれ以上ボイスコイルを磁気回路側へ移動させるのを止める役割、即ち、ストッパーとしての役割を果たす。つまり、かかる位置から、ボイスコイルの磁気回路側への移動が規制される。これにより、振動板の凹部付近の部分と、磁気回路とが接触又は衝突するのを回避することができる。この点からもスピーカー装置の薄型化に寄与し得る。なお、振動板は初期の位置に復帰する弾性力を有するため、ボイスコイル等はそのような均衡した位置に止まることはなく、ボイスコイルへ適正な音声電流が入力されると、次の瞬間にはその弾性力によりボイスコイル等は上記した適正な振動状態に戻ることになる。
【００２０】
本発明の他の実施形態では、スピーカー装置は、磁気ギャップを有する磁気回路と、前記磁気ギャップ内に配置され、当該磁気ギャップ内に発生する磁束の延在方向と略直交する方向に延在する凹部を有する振動板と、環状の形状を有し、一方向に延在する第１の平行部と、前記第１の平行部と平行な方向に延在し、前記第１の平行部と一定の間隔をおいて対向する第２の平行部と、を含むボイスコイルと、を備え、前記第１の平行部及び前記第２の平行部は、各々前記凹部の延在方向と平行な方向に配置されており、前記第１の平行部の全部又は一部は、前記凹部内に配置され、前記磁気ギャップ内に位置していると共に、前記第２の平行部は前記凹部の上方に且つ前記振動板の放音側に位置している。
【００２１】
上記のスピーカー装置は、磁気ギャップを有する磁気回路と、その磁気ギャップ内に配置され、当該磁気ギャップ内に発生する磁束（磁力）の延在方向と略直交する方向に延在する凹部を有する振動板と、環状の形状を有し、一方向に延在する第１の平行部と、前記第１の平行部と平行な方向に延在し、前記第１の平行部と一定の間隔をおいて対向する第２の平行部と、を含むボイスコイルと、を備えて構成される。好適な例では、前記第１の平行部に流れる音声電流の向きと、前記第２の平行部に流れる前記音声電流の向きとは相対的に逆向きの関係に設定することができる。また、好適な例では、前記第１の平行部と前記第２の平行部との間にある間隙の音放射方向の長さは、前記磁気ギャップの音放射方向の長さよりも短いのが好ましい。
【００２２】
特に、このスピーカー装置では、第１の平行部及び第２の平行部は、各々凹部の延在方向と平行な方向に配置されており、第１の平行部の全部又は一部は、振動板の凹部内に配置され、磁気ギャップ内に位置していると共に、第２の平行部は、その凹部の上方に且つ振動板の放音側に位置している。これにより、ボイスコイルの第１の平行部は、音の放射方向と逆側に位置する磁気回路側の近傍位置に配置されることになり、当該スピーカー装置の薄型化を図ることができる。また、振動板の凹部は、磁束の延在方向と略直交する方向に延在するように形成され、第１の平行部及び第２の平行部は、各々凹部の延在方向と平行な方向に配置されており、その凹部内には第１の平行部の全部又は一部が配置されているので、当該スピーカー装置のスリム化を図ることができる。よって、近年、益々薄型化及びスリム化されつつある携帯電話において、その受信用及び／又は着信用のスピーカー装置として好適に用いることが可能となる。また、このような薄型化及びスリム化を実現するスピーカー装置は、携帯電話用のスピーカー装置以外にも、モバイル用又は近接音場用の各種電子機器に好適に用いることができる。
【００２３】
また、このスピーカー装置では、ボイスコイルの第１の平行部において一定の方向へ音声電流が流れると、当該第１の平行部は、フレミングの左手の法則によって、かかるスピーカー装置の中心軸方向に振動する。これにより、振動板を通じて所定の方向に音波が放射される。しかしながら、このスピーカー装置の駆動時に、何らかの原因によりボイスコイルに過大な音声電流が入力され、ボイスコイルがスピーカー装置の音の放射方向と逆側の磁気回路側に大きく移動して、第１の平行部及び第２の平行部が磁気ギャップ内に位置すると、第１の平行部と第２の平行部とには相対的に逆向きの且つ同一の駆動力が作用する。
【００２４】
特に、このスピーカー装置では、ボイスコイルの第２の平行部は凹部の上方に且つ振動板の放音側に配置されているので、上記のような場合でも、第１の平行部及び第２の平行部と磁気ギャップ内に発生する磁束との相互作用により、即ち、磁気ギャップ内において第１の平行部に働く駆動力と、第２の平行部に働く、第１の平行部と逆向きの且つ同一の駆動力とが均衡し、第２の平行部が、その位置からそれ以上ボイスコイルを磁気回路側へ移動させるのを止める役割、即ち、ストッパーとしての役割を果たす。つまり、かかる位置から、ボイスコイルの磁気回路側への移動が規制される。これにより、振動板の凹部付近の部分と、磁気回路とが接触又は衝突するのを回避することができる。この点からもスピーカー装置の薄型化に寄与し得る。なお、振動板は初期の位置に復帰する弾性力を有するため、ボイスコイル等はそのような均衡した位置に止まることはなく、ボイスコイルへ適正な音声電流が入力されると、次の瞬間にはその弾性力によりボイスコイル等は上記した適正な振動状態に戻ることになる。
【００２５】
本発明の他の実施形態では、スピーカー装置は、磁気ギャップを有する磁気回路と、前記磁気ギャップ内に配置され、当該磁気ギャップ内に発生する磁束の延在方向と略直交する方向に延在する凹部を有する振動板と、Ｙ字の断面形状を有し、一方向に延在する第１の平行部としての第１部分と、前記第１の平行部と平行な方向に延在する第２の平行部を含み、前記第１の平行部との間で環状の形状を形成する第２部分と、前記第１の平行部と平行な方向に延在し且つ前記磁束の延在方向に対応する前記第１の平行部の幅方向の中心を通る中心線に対して前記第２の平行部と対称的な位置に配置される第３の平行部を含み、前記第１の平行部との間で環状の形状を形成する第３部分と、を有するボイスコイルと、を備え、前記第１の平行部、前記第２の平行部及び前記第３の平行部は、各々前記凹部の延在方向と平行な方向に配置されており、前記第１の平行部の全部又は一部は、前記凹部内に配置され、前記磁気ギャップ内に位置していると共に、前記第２の平行部及び前記第３の平行部は前記振動板の放音側の上面に各々固定されている。
【００２６】
上記のスピーカー装置は、磁気ギャップを有する磁気回路と、その磁気ギャップ内に配置され、当該磁気ギャップ内に発生する磁束の延在方向と略直交する方向に延在する凹部を有する振動板と、Ｙ字の断面形状を有し、一方向に延在する第１の平行部としての第１部分と、その第１の平行部と平行な方向に延在する第２の平行部を含み、第１の平行部との間で環状の形状を形成する第２部分と、その第１の平行部と平行な方向に延在し且つその磁束の延在方向に対応する当該第１の平行部の幅方向の中心を通る中心線に対して第２の平行部と対称的な位置に配置される第３の平行部を含み、第１の平行部との間で環状の形状を形成する第３部分と、を有するボイスコイルと、を備えて構成される。好適な例では、前記第１の平行部に流れる音声電流の向きと、前記第２の平行部及び前記第３の平行部の各々に流れる前記音声電流の向きとは相対的に逆向きの関係に設定することができる。また、好適な例では、前記ボイスコイルに音声電流が入力され、前記ボイスコイルが前記振動板の音の放射方向と逆方向に大きく移動した場合に、前記第２の平行部及び前記第３の平行部が前記磁気ギャップ内に位置するように、前記第１の平行部と、前記第２の平行部及び前記第３の平行部との位置関係が規定されているのが好ましい。
【００２７】
特に、このスピーカー装置では、第１の平行部、第２の平行部及び第３の平行部は、各々前記凹部の延在方向と平行な方向に配置されており、第１の平行部の全部又は一部は、凹部内に配置され、磁気ギャップ内に位置していると共に、第２の平行部及び第３の平行部は振動板の放音側の上面に各々固定されている。これにより、ボイスコイルの第１の平行部は、音の放射方向と逆側に位置する磁気回路の背面側の近傍位置に配置されることになり、当該スピーカー装置の薄型化を図ることができる。また、振動板の凹部は、磁束の延在方向と略直交する方向に延在するように形成され、その凹部内には第１の平行部の全部又は一部が配置されているので、当該スピーカー装置のスリム化を図ることができる。よって、近年、益々薄型化及びスリム化されつつある携帯電話において、その受信用及び／又は着信用のスピーカー装置として好適に用いることが可能となる。また、このような薄型化及びスリム化を実現するスピーカー装置は、携帯電話用のスピーカー装置以外にも、モバイル用又は近接音場用の各種電子機器に好適に用いることができる。
【００２８】
また、このスピーカー装置では、ボイスコイルの第１の平行部において一定の方向へ音声電流が流れると、当該第１の平行部は、フレミングの左手の法則によって、かかるスピーカー装置の中心軸方向に振動する。これにより、振動板を通じて所定の方向に音波が放射される。しかしながら、このスピーカー装置の駆動時に、何らかの原因によりボイスコイルに過大な音声電流が入力され、ボイスコイルがスピーカー装置の音の放射方向と逆側の磁気回路側に大きく移動して、第１の平行部、第２の平行部及び第３の平行部が磁気ギャップ内に位置すると、第１の平行部と第２の平行部及び第３の平行部とには相対的に逆向きの且つ同一の駆動力が作用する。
【００２９】
特に、このスピーカー装置では、ボイスコイルの第２の平行部及び第３の平行部は振動板の放音側の上面に各々固定されているので、上記のような場合でも、第１の平行部、第２の平行部及び第３の平行部と磁気ギャップ内に発生する磁束との相互作用により、即ち、磁気ギャップ内において第１の平行部に働く駆動力と、第２及び第３の平行部に働く、第１の平行部と逆向きの且つ同一の駆動力とが均衡し、第２及び第３の平行部が、その位置からそれ以上ボイスコイルを磁気回路側へ移動させるのを止める役割、即ちストッパーとしての役割を果たす。つまり、かかる位置から、ボイスコイルの磁気回路側への移動が規制される。これにより、振動板の凹部付近の部分と、磁気回路とが接触又は衝突するのを回避することができる。この点からもスピーカー装置の薄型化に寄与し得る。なお、振動板は初期の位置に復帰する弾性力を有するため、ボイスコイル等はそのような均衡した位置に止まることはなく、ボイスコイルへ適正な音声電流が入力されると、次の瞬間にはその弾性力によりボイスコイル等は上記した適正な振動状態に戻ることになる。また、ボイスコイルの第２の平行部及び第３の平行部は振動板の放音側の上面に各々固定されている。そのため、音再生時にボイスコイル及び振動板を含む振動系を円滑に且つ安定的に移動させることができる。
【００３０】
上記のスピーカー装置の一つの態様では、前記磁気ギャップは前記磁気回路の略中央位置に形成され、前記振動板は長円状又は楕円状の平面形状に形成されていると共に、当該振動板の前記凹部は、細長い形状に且つＵ字状の断面形状に形成され、当該振動板の略中央位置及び前記磁気ギャップ内に配置されている。
【００３１】
この態様では、磁気ギャップは、磁気回路の略中央位置に形成されている。そして、振動板は長円状又は楕円状の平面形状に形成されていると共に、当該振動板の凹部は、細長い形状に且つＵ字状の断面形状に形成され、当該振動板の略中央位置及び磁気ギャップ内に配置されている。これにより、スピーカー装置のスリム化を図ることができる。また、ボイスコイルを振動板の略中央位置及び磁気ギャップ内に配置することができる。その結果、音再生時に振動板等を円滑且つ安定的に移動させることができ、振動板及びボイスコイルを含む振動系全体としての強度が十分に確保される。
【００３２】
上記のスピーカー装置の他の態様では、前記第１の平行部の全部又は一部は前記凹部内の側面に狭持された状態で固定されている。これにより、ボイスコイルは凹部に安定的に保持され、ボイスコイルの振動方向への撓み易い欠点を補うことができる。即ち、これにより、ボイスコイルがその振動方向に撓み難くなる。よって、第１の平行部を磁気ギャップ内に的確に位置させることができる。
【００３３】
上記のスピーカー装置の他の態様では、前記磁気回路は、ヨークと、直方体状の形状を有し、前記ヨークの上面に一定の間隔をおいて対向配置されると共に、Ｓ極及びＮ極の相対的な着磁状態が振動板の振動方向に上下逆の位置関係にある一対のマグネットと、直方体状又は平板状の形状を有し、前記一対のマグネットの各々の上面に配置された一対のプレートと、を備え、前記一対のプレートの間には１つの前記磁気ギャップが形成されている。
【００３４】
この態様では、磁気回路は、ヨークと、直方体状の形状を有し、ヨークの上面に一定の間隔をおいて対向配置されると共に、Ｓ極及びＮ極の相対的な着磁状態が振動板の振動方向に上下逆の位置関係にある一対のマグネットと、直方体状又は平板状の形状を有し、一対のマグネットの各々の上面に配置された一対のプレートと、を備えて構成される。そして、一対のプレートの間には１つの磁気ギャップが形成されている。これにより、振動板の凹部内に配置された第１の平行部はヨークの近傍位置に且つ磁気回路の略中央位置に配置されることになり、スピーカー装置の薄型化及びスリム化を図ることができる。また、この態様のスピーカー装置の駆動時に、何らかの原因によりボイスコイルに過大な音声電流が入力され、ボイスコイル及び振動板がスピーカー装置の音の放射方向と逆方向に大きく振動したような場合でも、第２の平行部が上述したストッパーとしての役割を果たすため、振動板の凹部付近の部分と、プレートとが接触又は衝突するのを回避することができる。
【００３５】
上記のスピーカー装置の他の態様では、前記一対の前記プレートのうち少なくとも一方の前記プレートの上面には他のマグネットが配置され、前記他の前記マグネットと、前記プレートを挟んで対向する前記マグネットとのＳ極及びＮ極の相対的な着磁状態は振動板の振動方向に上下逆の位置関係に設定されている。
【００３６】
この態様では、一対のプレートのうち、少なくとも一方のプレートの上面には他のマグネットが配置されている。そして、他のマグネットと、プレートを挟んで対向するマグネットとのＳ極及びＮ極の相対的な着磁状態は振動板の振動方向に上下逆の位置関係に設定されている。なお、他のマグネットは、マグネットと反発し合う位置に配置されるので、一般的に「反発マグネット」と称される。
【００３７】
このように、この態様では、一対のマグネットに加え、さらに反発マグネットとしての他のマグネットを設けているので、その分だけ、磁気ギャップ内における磁界中の磁力の大きさを大きくすることができる。これにより、感度（効率）を上げることができる。また、何らかの原因によりボイスコイルに過大な音声電流が入力され、ボイスコイルが音の放射方向と逆側へ大きく移動した場合に、その方向へのボイスコイルの移動を一時的且つ瞬間的に止めるストッパーとしての機能をより一層高めることができる。
【００３８】
上記のスピーカー装置の他の態様では、前記磁気回路は、ヨークと、直方体状の形状を有し、前記ヨークの上面に配置された１つのマグネットと、前記１つの前記マグネットと一定の間隔をおいて前記ヨークの前記上面に対向配置された磁性体と、直方体状又は平板状の形状を有し、前記１つの前記マグネットの上面に配置された１つのプレートと、を備え、前記１つの前記プレートと前記前記磁性体との間には１つの前記磁気ギャップが形成されている。
【００３９】
この態様では、磁気回路は、ヨークと、直方体状の形状を有し、ヨークの上面に配置された１つのマグネットと、その１つのマグネットと一定の間隔をおいてヨークの上面に対向配置された、例えば鉄などの金属材料よりなる磁性体と、直方体状又は平板状の形状を有し、その１つのマグネットの上面に配置された１つのプレートと、を備えて構成される。そして、１つのプレートと磁性体との間には１つの磁気ギャップが形成されている。
保持することができる。
【００４０】
よって、次のような作用効果を奏する。すなわち、一般的に、マグネット及びプレートの設定数が少なくなると、その分だけ感度が低下することになる。しかし、スピーカー装置を適用する携帯電話などの電子機器などの仕様によっては、必ずしも、高い感度及び効率が必要とされない場合がある。例えば、携帯電話に用いられるスピーカー装置としては、受信用（レシーバー用）と着信用の２種類が存在するが、そのうち、レシーバー用のスピーカー装置の場合には、スペックとして小型化及び最低共振周波数ｆ０の低周波数化（低ｆ０化）の優先順位が高いが、高い感度及び効率はそれほど必要とされない。よって、このようなケースでは、製品コストの観点も考慮すると、例えば携帯電話のレシーバー用として、この態様のスピーカー装置を適用するのが望ましいといえる。つまり、感度及び効率をそれほど必要としない携帯電話用に好適なスピーカー装置としては、上記したスピーカー装置よりもマグネットの設定数が少ない分だけ感度及び効率は若干劣るが、その分だけ製品コストの安い、この態様のスピーカー装置を適用した方が望ましいといえる。
【００４１】
上記のスピーカー装置の他の態様では、前記磁気回路は、ヨークと、直方体状の形状を有し、前記ヨークの上面に一定の間隔をおいて対向配置されると共に、Ｓ極及びＮ極の相対的な着磁状態が磁束の延在方向に左右逆の位置関係にある一対のマグネットと、を備え、前記一対のマグネットの間には１つの前記磁気ギャップが形成されている。
【００４２】
この態様では、磁気回路は、ヨークと、直方体状の形状を有し、ヨークの上面に一定の間隔をおいて対向配置されると共に、Ｓ極及びＮ極の相対的な着磁状態が磁束の延在方向に左右逆の位置関係にある一対のマグネットと、を備えて構成される。そして、一対のマグネットの間には１つの磁気ギャップが形成されている。
【００４３】
つまり、この態様では、磁気回路は一対のプレートを設けていないので、その分だけ上記のスピーカー装置と比較して感度及び効率が若干低下するが、その反面、製品コストを下げることができる。よって、携帯電話などに代表される電子機器の感度及び効率や製品コスト等を考慮すると、この態様に係るスピーカー装置を、例えば携帯電話のレシーバー用として好適に用いることができる。また、一対のプレートを設けていない分だけ、振動板及びボイスコイルの振動方向に対応する、スピーカー装置の高さを小さくすることができ、より一層、スピーカー装置の薄型化を実現できる。
【００４４】
上記のスピーカー装置の他の態様では、感度及び効率並びに製品コストを考慮して、前記磁気回路は、ヨークと、直方体状の形状を有し、前記ヨークの上面に配置された１つのマグネットと、前記１つの前記マグネットと一定の間隔をおいて前記ヨークの前記上面に対向配置された磁性体と、を備え、さらに、前記１つのマグネットと前記磁性体との間には１つの前記磁気ギャップが形成されるように構成しても構わない。また、これにより、一対のプレートを設けていない分だけ、振動板及びボイスコイルの振動方向に対応する、スピーカー装置の高さを小さくすることができ、より一層、スピーカー装置の薄型化を実現できる。
【００４５】
上記のスピーカー装置の他の態様では、前記第２の平行部の全部又は一部は、前記凹部内に配置され、当該凹部の側面に狭持された状態で固定されている。
【００４６】
このように、この態様では、第１の平行部のみならず、第２の平行部の全部又は一部も振動板の凹部に固定されることになるので、ボイスコイル及び振動板を含む振動系の振動時の強度向上及び安定化を図ることができる。また、この態様を採用すれば、振動板及びボイスコイルの振動方向に対応する、スピーカー装置の高さを小さくすることができ、より一層、スピーカー装置の薄型化を実現できる。
【００４７】
上記のスピーカー装置の他の態様では、筒状の形状並びに環状及び長円状又は楕円状の平面形状を有し、前記磁気回路を収容するフレームを備え、前記フレームの上面側の外周部には階段状の形状を有する段部が形成され、前記振動板は、前記凹部の周囲に設けられ、半球状の断面形状を有し、音波を放射する機能を有する放音部と、前記放音部の外周部に設けられ、前記フレームの前記段部と嵌合する階段状の形状を有する段部と、を含み、前記振動板の前記段部は、前記フレームの前記段部に嵌合していると共に、前記凹部は前記フレームの略中央位置に配置されている。
【００４８】
この態様では、筒状の形状並びに環状及び長円状又は楕円状の平面形状を有し、磁気回路を収容するフレームを備える。そして、フレームの上面側の外周部には階段状の形状を有する段部が形成されている。また、振動板は、その凹部の周囲に設けられ、半球状の断面形状を有し、音波を放射する機能を有する放音部と、その放音部の外周部に設けられ、フレームの段部と嵌合する階段状の形状を有する段部と、を含んでいる。また、振動板の段部は、フレームの段部に嵌合していると共に、振動板の凹部はフレームの略中央位置に配置されている。これにより、ボイスコイルを、スピーカー装置の略中央位置、即ちフレームの略中央位置に配置することができ、ボイスコイルと振動板との相対的な位置関係を適切な状態に設定することができる。また、音再生時に振動板等を円滑且つ安定的に移動させることができ、ボイスコイル及び振動板を含む振動系全体としての強度が十分に確保される。
【００４９】
上記のスピーカー装置の他の態様では、前記放音部は、エッジの機能を有し、前記放音部の短手方向の長さは、前記振動板の短手方向の長さの大半を占めている。
【００５０】
一般的に、エッジの幅が大きくなると、それに従いエッジの軟らかさが増すため、スピーカー装置の共振周波数を下げることができると共に、ボイスコイルをスピーカー装置の中心位置に近づけることができる。これにより、最低共振周波数ｆ０を下げることできるので、低音が得られ易くなる。この点、この態様では、放音部は、音再生時に不要な振動を吸収するなどの働きを有するエッジの機能を有し、放音部の短手方向の長さは、振動板の短手方向の長さの大半を占めているので、必然的にエッジの幅が大きくなる。よって、最低共振周波数ｆ０を下げることができ、低音が得られ易くなる。その結果、かかる振動板を有するスピーカー装置は、高い感度が得られ、携帯電話用のスピーカーとして好適に用いることができる。
【００５１】
本発明の他の実施形態では、上記のスピーカー装置を備える携帯電話機を構成することができる。これにより、薄型及びスリム型のスピーカー装置が得られる。
【実施例】
【００５２】
以下、図面を参照して本発明の好適な各種の実施例について説明する。各実施例に係るスピーカー装置は、携帯電話の着信用（レシーバー用）又は受信用に、或いは、モバイル用又は近接音場用の各種電子機器に好適に用いることが可能な薄型及びスリム型（幅狭型）のスピーカー装置である。
【００５３】
[第１実施例]
（スピーカー装置の構成）
図１は、本発明の第１実施例に係るスピーカー装置１００の断面構成を概略的に示す。また、図１は、スピーカー装置１００をその中心軸Ｌ１を通る平面で切断したときの断面図を示す。図２は、図１におけるスピーカー装置１００をその中心軸Ｌ１で切断したときの、その片側の分解斜視図を示す。以下、本発明の第１実施例に係るスピーカー装置１００の構成等について説明する。
【００５４】
スピーカー装置１００は、主として、ヨーク１と、一対のマグネット２ａ及び２ｂと、一対のプレート３ａ及び３ｂと、を有する内磁型の磁気回路３０と、フレーム４と、振動板５と、ボイスコイル６と、を有する振動系３１と、を備えて構成される。なお、以下の説明では、便宜上、各マグネット又は各プレートを区別する場合にはそれぞれマグネット２ａ又はプレート３ａなどと表記すると共に、それらを特に区別しない場合には、マグネット２又はプレート３と表記する。
【００５５】
まず、磁気回路３０の構成について説明する。
【００５６】
ヨーク１は、複数の開口１ａを有し、平板状の形状に且つ略長方形状の平面形状に形成されている。各開口１ａは、振動板５のヨーク１側への移動時にスピーカー装置１００内部の不要な空気を外部へ逃す働きを有する。これにより、スピーカー装置１００の内部の圧力（いわゆる、背圧）が高くなるのを防止することができる。
【００５７】
一対のマグネット２ａ及び２ｂの各々は、直方体状及び角型棒状の形状に形成されている。マグネット２ａとマグネット２ｂとの相対的な大きさ（サイズ）及び磁力の大きさは同一となっている。また、マグネット２ａとマグネット２ｂとは、ヨーク１上において互いに対向する位置に且つ一定の間隔をおいて設けられている。マグネット２ａとマグネット２ｂとの相対的なＳ極及びＮ極の着磁（磁化）の状態は後述する振動板５の振動方向に上下逆の位置関係に設定されている。具体的には、ヨーク１と接する、マグネット２ａの下面側はＳ極に着磁されていると共に、後述するプレート３ａと接する、マグネット２ａの上面側はＮ極に着磁されている。これに対応して、ヨーク１と接する、マグネット２ｂの下面側はＮ極に着磁されていると共に、後述するプレート３ｂと接する、マグネット２ｂの上面側はＳ極に着磁されている。なお、本発明では、マグネット２ａとマグネット２ｂとの相対的なＳ極及びＮ極の着磁状態の位置関係は、かかる構成に限定されるものでない。
【００５８】
一対のプレート３ａ及び３ｂの各々は、平板状の形状に形成されている。プレート３ａ及び３ｂの各長手方向の長さは、マグネット２の長手方向の長さと略同一の長さに設定されている。プレート３ａはマグネット２ａ上に取り付けられていると共に、プレート３ｂはマグネット２ｂ上に取り付けられている。そして、プレート３ａとプレート３ｂとは、一定の間隔をおいて対向しており、その両者の間には一定の間隙が形成されている。
【００５９】
以上の構成を有する磁気回路３０では、かかる間隙にマグネット２ａ及び２ｂの磁束を集中させている。つまり、プレート３ａとプレート３ｂとの間の間隙には１つの磁気ギャップ７０が形成されている。また、磁気ギャップ７０は、磁気回路３０の略中央位置に形成されている。そして、磁気ギャップ７０内に生じる磁束（磁力）の方向は矢印Ｙ２方向に設定されている。
【００６０】
次に、振動系３１の構成について説明する。
【００６１】
フレーム４は筒状の形状に形成されている。また、フレーム４を平面的に見ると、当該フレーム４は長円状又は楕円状に且つ環状（リング状）の形状に形成されている。フレーム４の上端面側には、後述する振動板５の外周部を支持する、階段状の形状を有する段部４ａが設けられている。フレーム４の下端部側にはヨーク１が取り付けられており、フレーム４は磁気回路３０を収容している。
【００６２】
振動板５は、長円状又は楕円状の平面形状に形成されている。また、振動板５は、その中央位置に配置され且つその長手方向に延在するように設けられた凹部５ａと、その凹部５ａの周囲に配置され、半円状の断面形状を有する放音部５ｂと、その放音部５ｂの外周部に設けられ、階段状の断面形状を有する段部５ｃと、を有する。
【００６３】
放音部５ｂは、振動板５の全面積の過半数を占め、音を放射する部分であり、音再生時に不要な振動を吸収するなどのエッジの機能も有する。また、放音部５ｂの短手方向の長さは、振動板５の短手方向の長さの大半を占めている。凹部５ａは、細長い形状に且つ袋状又はＵ字状の断面形状に形成され、磁束の方向となる矢印Ｙ２方向と、略直交する方向と平行な方向に延在してなる。凹部５ａは、スピーカー装置１００の中心軸Ｌ１付近、即ち磁気回路３０内の略中央位置に配置される。凹部５ａには、後述するボイスコイル６の第１の平行部６ａが配置され、当該凹部５ａは、ボイスコイル６を支持する役割を果たす。振動板５の段部５ｃはフレーム４の段部４ａに嵌合する。これにより、振動板５はフレーム４に支持されると共に、振動板５の凹部５ａ内に配置されたボイスコイル６の第１の平行部６ａは、一対のプレート３ａ及び３ｂの間に設けられた磁気ギャップ７０内に配置される。
【００６４】
ボイスコイル６は、１つのプラス/マイナスのリード線（図示略）を有し、長円状に且つリング状の平面形状を形成するように巻回されてなる。プラス側のリード線はＬ（又はＲ）チャンネル信号の入力配線であり、マイナス側のリード線はグランド（ＧＮＤ：接地）信号の入力配線である。各リード線は、図示しないアンプ側の各出力配線に電気的に接続されている。このため、ボイスコイル６には、その各リード線を通じてアンプ側から信号及び電力（以下、単に「音声電流」とも称する）が夫々入力される。
【００６５】
また、ボイスコイル６は、一方向に延在する第１の平行部６ａと、その第１の平行部６ａと一定の間隙６ｄを置いて対向配置され、第１の平行部６ａと平行な方向に延在する第２の平行部６ｂと、第１の平行部６ａの各端部と、対応する第２の平行部６ｂの各端部とを繋ぐ複数の連結部６ｃと、を有し、振動板５の凹部５ａ内に配置される。
【００６６】
第１の平行部６ａの長手方向の長さは、振動板５の凹部５ａの長手方向の長さと略同一の長さに設定されている。第１の平行部６ａは、振動板５の凹部５ａ内に配置されており、その凹部５ａの側面５ａｂに挟持された状態で固定されている。第２の平行部６ｂの長手方向の長さは、第１の平行部６ａの長手方向の長さと略同一の長さに設定されている。また、第１の平行部６ａと第２の平行部６ｂとの間には一定の間隙６ｄが形成されており、第２の平行部６ｂは、当該凹部５ａの上方に且つ振動板５の放音側に位置している。好適な例では、ボイスコイル６に過大な音声電流が入力され、ボイスコイル６が振動板５の音の放射方向Ｙ１と逆方向に大きく移動した場合に、第２の平行部６ｂが磁気ギャップ７０内に位置するように、第１の平行部６ａと第２の平行部６ｂとの位置関係が規定されているのが好ましい。
【００６７】
かかる構成を有するボイスコイル６では音声電流が周回するように流れるため、図２に示すように、第１の平行部６ａに流れる音声電流の方向（向き）と、第２の平行部６ｂに流れる音声電流の方向（向き）とは相対的に逆向きの関係になる。即ち、図２おいて、第１の平行部６ａに音声電流が矢印Ｙ４方向に流れたと仮定した場合には、第２の平行部６ｂでは音声電流は矢印Ｙ４方向と逆の矢印Ｙ３方向に流れることなる。
【００６８】
以上に述べたスピーカー装置１００において、アンプ側から出力された音声電流は、ボイスコイル６の各リード線を通じて、当該ボイスコイル６へ入力される。これにより、磁気ギャップ７０内でボイスコイル６の第１の平行部６ａに駆動力が発生し、第２の平行部６ｂが磁気ギャップ７０内に位置しない範囲内で、第１の平行部６ａがプレート３ａ及び３ｂの厚さ方向の中心軸Ｌ２を基準としてスピーカー装置１００の中心軸Ｌ１方向に振動する。こうして、スピーカー装置１００は、振動板５の放音部５ｂを通じて矢印Ｙ１方向に音波を放射する。
【００６９】
以上の構成を有する第１実施例では、次のような特有の作用効果を奏する。
【００７０】
まず、第１実施例に係るスピーカー装置１００では、振動板５の短手方向の中央位置に、袋状又はＵ字状の断面形状を有し、且つ当該振動板５の長手方向に延在する細長い形状の凹部５ａを設け、その凹部５ａ内にボイスコイル６の第１の平行部６ａを配置している。これにより、図１において、ボイスコイル６の幅ｄ３方向の中心と、振動板５の短手方向の中心とを一致させることができ、ボイスコイル６と振動板５との相対的な位置関係を適切な状態に設定することができる。
【００７１】
また、かかる構成に加え、第１の平行部６ａが配置された凹部５ａを、磁気回路３０内の略中央位置に収容するように配置し、且つその磁気回路３０内に設けられた１つの磁気ギャップ７０内に位置させることとしている。これにより、ボイスコイル６の第１の平行部６ａは、ヨーク１の近傍位置に配置される。その結果、振動板５及びボイスコイル６の振動方向に対応する、スピーカー装置１００の高さｄ１を小さくすることが可能となり、薄型のスピーカー装置を構成することができる。
【００７２】
また、振動板５の凹部５ａは、磁束の延在方向Ｙ２と略直交する方向に延在するように形成され、第１の平行部６ａ及び第２の平行部６ｂは、各々凹部５ａの延在方向と平行な方向に配置されており、その凹部５ａ内には第１の平行部６ａが配置されているので、スピーカー装置１００の短手方向の幅ｄ２を小さくすることができ、当該スピーカー装置１００のスリム化を図ることができる。また、振動板５は長円状又は楕円状の平面形状に形成されていると共に、振動板５の凹部５ａは、細長い形状に且つ袋状又はＵ字状の断面形状に形成され、振動板５及び磁気回路３０の略中央位置に配置されているので、この点からもスピーカー装置１００のスリム化を図ることができる。
【００７３】
よって、近年、益々薄型化及びスリム化されつつある携帯電話において、その受信用及び／又は着信用のスピーカー装置として好適に用いることが可能となる。また、このような薄型化及びスリム化を実現する第１実施例に係るスピーカー装置１００は、携帯電話用のスピーカー装置以外にも、上記したモバイル用又は近接音場用の各種電子機器に好適に用いることができる。
【００７４】
また、ボイスコイル６の第１の平行部６ａは、振動板５の凹部５ａの側面５ａｂに狭持された状態で固定されている。これにより、ボイスコイル６は凹部５ａに安定的に保持され、ボイスコイル６の振動方向、即ちスピーカー装置１００の中心軸Ｌ１方向への撓み易い欠点を補うことができる。即ち、これにより、ボイスコイル６がその振動方向となる中心軸Ｌ１方向に撓み難くなる。よって、第１の平行部６ａを１つの磁気ギャップ７０内に的確に位置させることができる。加えて、振動板５の外周部に設けられた段部５ｃをフレーム４の段部４ａに嵌合させるようにしているので、振動板５の短手方向の中心、言い換えれば凹部５ａの幅方向の中心を、スピーカー装置１００の中心軸Ｌ１に略一致させることができる。これにより、ボイスコイル６の幅ｄ３方向の中心を、フレーム４、振動板５及び磁気回路３０の中心軸、即ちスピーカー装置１００の中心軸Ｌ１に略一致させることができる。その結果、音再生時に振動板５等を円滑且つ安定的に移動させることができ、振動系３１全体としての強度が十分に確保される。
【００７５】
また、ボイスコイル６の第２の平行部６ｂを、一定の間隙６ｄを保持しつつ第１の平行部６ａの上方に且つ凹部５ａの上方に且つ振動板５の放音側に配置しているので、スピーカー装置１００の駆動時に、何らかの原因によりボイスコイル６に過大な音声電流が入力され、ボイスコイル６及び振動板５がスピーカー装置１００の音の放射方向Ｙ１と逆方向に大きく移動したような場合でも、第１の平行部６ａ及び第２の平行部６ｂと磁気ギャップ７０に形成される磁束との相互作用により、振動板５の凹部５ａ付近の部分と、プレート３ａ及び／又はプレート３ｂとが接触又は衝突するのを回避することができる。この点について、図１及び図３を参照して詳述する。
【００７６】
図３は、図１に対応するスピーカー装置１００の断面図であり、当該スピーカー装置１００の駆動方法を説明する断面図である。
【００７７】
まず、図１のボイスコイル６の第１の平行部６ａにおいて紙面奥側又は紙面手前側へ音声電流が流れると、当該第１の平行部６ａは、フレミングの左手の法則によって、第２の平行部６ｂが磁気ギャップ７０内に位置しない範囲内で、プレート３ａ及び３ｂの厚さ方向の中心軸Ｌ２を基準として、スピーカー装置１００の中心軸Ｌ１方向に振動する。これにより、振動板５の放音部５ｂを通じて矢印Ｙ１方向に音波が放射される。
【００７８】
しかし、何らかの原因により、ボイスコイル６に過大な音声電流が入力され、当該ボイスコイル６が音の放射方向と逆側のヨーク１側に大きく移動して、第１の平行部６ａと第２の平行部６ｂの間に設けられた間隙６ｄの厚さ方向の中心が、プレート３の厚さ方向の中心軸Ｌ２に略一致すると、磁気ギャップ７０内において、第１の平行部６ａと第２の平行部６ｂとには相対的に逆向きの且つ同一の駆動力が作用する。即ち、このとき、第１の平行部６ａには紙面奥側に音声電流が流れることになるので、第１の平行部６ａには音の放射方向Ｙ１と逆側に駆動力が作用する。一方、第２の平行部６ｂには紙面手前側に音声電流が流れることになるので、第２の平行部６ｂには、第１の平行部６ａと同一の大きさの駆動力が音の放射方向Ｙ１に作用する。また、かかる状態において、次の瞬間には、第１の平行部６ａには紙面手前側に音声電流が流れることになるので、第１の平行部６ａには音の放射方向Ｙ１に駆動力が作用する。一方、第２の平行部６ｂには紙面奥側に音声電流が流れることになるので、第２の平行部６ｂには、第１の平行部６ａと同一の大きさの駆動力が音の放射方向Ｙ１と逆側に作用する。このため、第１の平行部６ａに生じる駆動力と、その駆動力と逆向きの且つ同一の、第２の平行部６ｂに生じる駆動力とが一時的且つ瞬間的に均衡し、ボイスコイル６は、かかる位置からそれ以上ヨーク１側へは移動しなくなる。つまり、かかる位置から、ボイスコイル６のヨーク１側への移動が規制される。なお、振動板５は初期の位置に復帰する弾性力を有するため、ボイスコイル６等はそのような位置に止まることはなく、ボイスコイル６へ適正な音声電流が入力されると、次の瞬間にはその弾性力によりボイスコイル６等は上記した適正な振動状態に戻ることになる。このような作用により、振動板５の凹部５ａ付近の部分と、プレート３ａ及び／又はプレート３ｂとが接触又は衝突するのを防止できる。このため、第２の平行部６ｂは、ボイスコイル６の音の放射方向Ｙ１と逆側への大振幅時に、当該方向へのボイスコイル６の移動を一時的且つ瞬間的に止める役割、即ちブレーキ（ストッパー）としての役割を果たす。この点からもスピーカー装置１００の薄型化に寄与し得る。
【００７９】
また、第１実施例に係るスピーカー装置１００は、以下に述べる比較例と比較して、振動板５の構成上、最低共振周波数ｆ０を下げることができるため低音が得られ易く、高い感度が要求される携帯電話用のスピーカーとして好適に用いることができるという利点を有する。
【００８０】
まず、図４を参照して、比較例に係るスピーカー装置の構成について説明する。図４は、比較例に係るスピーカー装置５０の片側斜視図を示す。
【００８１】
比較例に係るスピーカー装置５０は、長円状又は楕円状の平面形状及び凹状の断面形状を有するヨーク１１と、そのヨーク１１上の中央位置に取り付けられた直方体状及び角型棒状の形状を有するマグネット２１と、そのマグネット２１上に取り付けられ、マグネット２１の長手方向の長さと略同一の長さを有する平板状のプレート３１と、を有する磁気回路と、第１実施例と類似した形状を有するフレーム４１と、フレーム４１に支持される振動板５１と、振動板５１に支持されるボイスコイル６１と、を有する振動系とを備えて構成される。
【００８２】
かかる磁気回路において、ヨーク１１の上端部とプレート３１とは一定の間隔をおいて対向しており、その両者の間には磁気ギャップ７１が形成されている。
【００８３】
フレーム４１は、ヨーク１１の上端部付近に取り付けられている。フレーム４１の上端部側の外周部には、階段状の形状を有する段部４１ａが設けられている。
【００８４】
振動板５１は、音を放射する機能を有し、半円状の断面形状を有する放音部５１ｂと、放音部５１ｂの周囲に一定の間隔をおいて設けられ、Ω状の断面形状を有するエッジ５１ｃと、放音部５１ｂとエッジ５１ｃとの間に設けられ、凹状の断面形状を有する凹部５１ａと、エッジ５１ｃの外周縁部に設けられ、階段状の断面形状を有する段部５１ｄと、を有する。振動板５１の段部５１ｄは、フレーム４１の段部４１ａに嵌合している。これにより、放音部５１ｂはプレート３１を覆う位置に配置されていると共に、凹部５１ａは磁気ギャップ７１内に配置されている。そして、凹部５１ａ内には、リング状に巻回してなるボイスコイル６１が配置されている。このため、ボイスコイル６１は、磁気ギャップ７１内に位置している。かかる比較例では、ボイスコイル７１に音声電流が入力されると、磁気ギャップ７１内でボイスコイル６１に駆動力が生じて、振動板５１の放音部５１ｂから音波が放射される。
【００８５】
以上の構成を有する比較例では、後述するように、その構成上、エッジの幅が小さくなるので、ボイスコイル６１の位置がスピーカー装置５０の中心位置から離れ、これにより第１実施例と比較して最低共振周波数ｆ０が高くなり、低音が得られ難いという課題を有する。そのため、比較例は、高い感度が要求される携帯電話用のスピーカーとしては不向きである。以下、この点について、図５を参照して説明する。
【００８６】
図５（ａ）は、比較例に係る振動板５１の短手方向に対応する断面図である。一方、図５（ｂ）は、第１実施例に係る振動板５の短手方向に対応する断面図である。
【００８７】
比較例の振動板５１の短手方向の長さ（幅）と、第１実施例の振動板５の短手方向の長さ（幅）は共に同一の長さｄ４に設定されていると共に、その両者の厚さは同一の厚さ（図示略）に設定されている。比較例において振動板５１のエッジ５１ｃの幅はｄ５に設定されているのに対して、第１実施例においてエッジの機能を兼ねる放音部５ｂの幅はｄ６（＞ｄ５）に設定されている。つまり、第１実施例は、比較例と比較してエッジの幅が大きいといえる。また、第１実施例に係る振動板５の放音部５ｂの短手方向の長さは、振動板５の短手方向の長さの大半を占めており、この観点からもエッジの幅が大きいといえる。ここで、一般的に、エッジの幅が大きくなると、それに従いエッジの軟らかさが増すため、スピーカー装置の共振周波数を下げることができると共に、ボイスコイルをスピーカー装置の中心位置に近づけることができる。これにより、最低共振周波数ｆ０を下げることできるので、低音が得られ易くなる。よって、第１実施例では、比較例と比べ最低共振周波数ｆ０を下げることができ、低音が得られ易くなっている。その結果、第１実施例に係る振動板５を有するスピーカー装置は、高い感度が得られ、携帯電話用のスピーカーとして好適に用いることができる。
【００８８】
[第２実施例]
次に、図６を参照して、本発明の第２実施例に係るスピーカー装置２００の構成について説明する。図６は、第２実施例のスピーカー装置２００を、その中心軸Ｌ１を通る平面で切断したときの断面図を示す。なお、以下では、第１実施例と共通する要素については同一の符号を付し、その説明は簡略化又は省略する。
【００８９】
第２実施例と第１実施例とを比較した場合、その両者の構成は略共通している。しかし、第２実施例は、第１実施例と比較して、マグネット２及びプレート３の設定数が相違している。
【００９０】
具体的には、第２実施例に係るスピーカー装置２００では、マグネット２ｂ及びプレート３ｂを設けているが、マグネット２ａ及びプレート３ａを設けていない。その代わりに、第２実施例では、マグネット２ａ及びプレート３ａに対応する位置に磁性体８を設けている。好適な例では、磁性体８は、鉄などの金属材料により形成することができる。磁性体８は、マグネット２ａの長手方向の長さと同一の長さを有すると共に、当該磁性体８の厚さ（高さ）は、マグネット２ｂの厚さ（高さ）とプレート３ｂの厚さ（高さ）とを合わせた値に設定されている。このため、磁性体８の内壁の上端部付近と、プレート３ａとは一定の間隔をおいて対向しており、その両者の間には磁気ギャップ７０が形成されている。なお、第２実施例では、磁束の方向は第１実施例と同様に矢印Ｙ２方向に生じている。そして、第２実施例では、第１実施例と同様の原理により、振動板５の放音部５ｂを通じて矢印Ｙ１方向に音波を放射する。
【００９１】
以上の構成を有する第２実施例では、次のような特有の作用効果を奏する。
【００９２】
一般的に、マグネット及びプレートの設定数が少なくなると、その分だけ感度が低下することになる。しかし、スピーカー装置が搭載される電子機器などの仕様によっては、必ずしも、高い感度及び効率が必要とされない場合がある。例えば、携帯電話に用いられるスピーカー装置としては、受信用（レシーバー用）と着信用の２種類が存在するが、そのうち、レシーバー用のスピーカー装置の場合には、スペックとして小型化及び最低共振周波数ｆ０の低周波数化（低ｆ０化）の優先順位が高いが、高い感度及び効率はそれほど必要とされない。よって、このようなケースでは、製品コストの観点も考慮すると、例えば携帯電話のレシーバー用として、第１実施例よりも第２実施例のスピーカー装置を適用するのが望ましいといえる。つまり、感度及び効率をそれほど必要としない携帯電話用に好適なスピーカー装置としては、第１実施例に係るスピーカー装置１００よりも、第１実施例と比較してマグネットの設定数が少ない分だけ感度及び効率は若干劣るが、その分だけ製品コストの安い第２実施例に係るスピーカー装置２００を適用した方が望ましいといえる。なお、第２実施例に関するその他の作用効果は、第１実施例と略同様である。
【００９３】
[第３実施例]
次に、図７を参照して、本発明の第３実施例に係るスピーカー装置３００の構成について説明する。図７は、第３実施例のスピーカー装置３００を、その中心軸Ｌ１を通る平面で切断したときの断面図を示す。なお、以下では、第１実施例と共通する要素については同一の符号を付し、その説明は簡略化又は省略する。
【００９４】
第３実施例と第１実施例とを比較した場合、その両者の構成は略共通している。しかし、第３実施例は、第１実施例と比較して、マグネットの設定数が多くなっている。
【００９５】
具体的には、第３実施例に係るスピーカー装置３００では、一対のマグネット２ａ及び２ｂに加えて、さらに、一対のマグネット２ｃ及び２ｄが設けられている。なお、本発明では、製品コストを考慮し又は仕様に応じて、一対のマグネット２ｃ及び２ｄのうち、いずれか一方のマグネットを設ける構成としても構わない。マグネット２ｃはプレート３ａ上に設けられている一方、マグネット２ｄはプレート３ｂ上に設けられている。そして、一対のマグネット２ｃ及び２ｄと、対応するプレート３ａ及び３ｂを挟んで対向する一対のマグネット２ａ及び２ｂとのＳ極及びＮ極の相対的な着磁状態はそれぞれ振動板５の振動方向に上下逆の位置関係に設定されている。
【００９６】
具体的には、プレート３ａに接する、マグネット２ｃの下面側はＮ極に着磁されていると共に、プレート３ｂに接する、マグネット２ｄの下面側はＳ極に着磁されている。このため、Ｎ極に着磁されたマグネット２ｃの下面側と、Ｎ極に着磁されたマグネット２ａの上面側とはプレート３ａを挟んで対向していると共に、Ｓ極に着磁されたマグネット２ｄの下面側と、Ｓ極に着磁されたマグネット２ｂの上面側とはプレート３ｂを挟んで対向している。このように、マグネット２ｃは、マグネット２ａと反発し合う位置に配置され、また、マグネット２ｄは、マグネット２ｂと反発し合う位置に配置されるので、マグネット２ｃ及び２ｄの各々は、一般的に「反発マグネット」と称される。
【００９７】
このように、第３実施例では、一対のマグネット２ａ及び２ｂに加え、さらに反発マグネットとしてのマグネット２ｃ及び２ｄを設けているので、その分だけ、磁気ギャップ７０内における磁界中の磁力の大きさを大きくすることができる。これにより、感度及び効率を上げることができる。また、何らかの原因によりボイスコイル６に過大な音声電流が入力され、ボイスコイル６が音の放射方向Ｙ１と逆側へ大きく移動した場合に、その方向へのボイスコイル６の移動を一時的且つ瞬間的に止めるストッパーとしての機能を第１実施例よりも高めることができる。その結果、振動板５の凹部５ａ付近の部分と、プレート３ａ及び／プレート３ｂとが接触又は衝突するのを第１実施例と比べてより一層防止することができる。なお、第３実施例に関するその他の作用効果は、第１実施例と略同様である。
【００９８】
[第４実施例]
次に、図８を参照して、本発明の第４実施例に係るスピーカー装置４００の構成について説明する。図８は、第４実施例のスピーカー装置４００を、その中心軸Ｌ１を通る平面で切断したときの断面図を示す。なお、以下では、第１実施例と共通する要素については同一の符号を付し、その説明は簡略化又は省略する。
【００９９】
第４実施例と第１実施例とを比較した場合、その両者の構成は略共通している。しかし、第４実施例は、第１実施例と比較して分かるように、次の構成が相違している。
【０１００】
即ち、第４実施例に係るスピーカー装置４００では、一対のプレート３ａ及び３ｂが設けられていない。また、第１実施例では、マグネット２ａとマグネット２ｂとの相対的なＳ極及びＮ極の着磁（磁化）の状態は振動板５の振動方向に上下逆の位置関係に設定されていたが、第４実施例では、マグネット２ａとマグネット２ｂとの相対的なＳ極及びＮ極の着磁（磁化）の状態は磁束の延在方向に左右逆の位置関係に設定されている。
【０１０１】
具体的には、第４実施例では、フレーム４の内壁と対向する、マグネット２ａの外壁はＳ極に着磁されていると共に、フレーム４の内壁と対向する、マグネット２ｂの外壁はＮ極に着磁されている。このため、マグネット２ｂと対向する、マグネット２ａの内壁はＮ極に着磁されていると共に、マグネット２ａと対向する、マグネット２ｂの内壁はＳ極に着磁されている。なお、本発明では、マグネット２ａとマグネット２ｂとの相対的なＳ極及びＮ極の着磁状態の位置関係は、かかる構成に限定されるものでない。そして、マグネット２ａの内壁の上端部付近と、マグネット２ｂの内壁の上端部付近との間には磁気ギャップ７０が形成されている。これにより、磁気ギャップ７０付近では、磁束の方向は矢印Ｙ３方向に生じている。また、ボイスコイル６の第２の平行部６ａが配置された振動板５の凹部５ａは、マグネット２ａとマグネット２ｂの間に形成された磁気ギャップ７０内に配置されている。以上の構成を有する第４実施例では、第１実施例と同様の原理により、振動板５の放音部５ｂを通じて矢印Ｙ１方向に音波を放射する。
【０１０２】
特に、第４実施例に係るスピーカー装置４００では、一対のプレート３ａ及び３ｂを設けていないので、その分だけ第１実施例と比較して感度及び効率が若干低下するが、その反面、製品コストを下げることができる。よって、携帯電話などに代表される電子機器の感度及び効率や製品コスト等を考慮すると、第４実施例に係るスピーカー装置４００は、例えば携帯電話のレシーバー用として好適に用いることができる。また、本発明では、感度及び効率並びに製品コストを考慮して、上記した第４実施例の構成において、一対のマグネット２ａ及び２ｂのうち、いずれか一方を鉄などの金属材料よりなる磁性体に代えても構わない。また、第４実施例では、一対のプレート３ａ及び３ｂを設けていないので、第１実施例と比較して、振動板５及びボイスコイル６の振動方向に対応する、スピーカー装置４００の高さｄ７をより一層小さくできる。よって、より一層、スピーカー装置の薄型化を実現できる。なお、第４実施例に関するその他の作用効果は、第１実施例と略同様である。
【０１０３】
[第５実施例]
次に、図９を参照して、本発明の第５実施例に係るスピーカー装置５００の構成について説明する。図９は、第５実施例のスピーカー装置５００を、その中心軸Ｌ１を通る平面で切断したときの断面図を示す。なお、以下では、第１実施例と共通する要素については同一の符号を付し、その説明は簡略化又は省略する。
【０１０４】
第５実施例と第１実施例とを比較した場合、その両者の構成は略共通している。しかし、第５実施例は、第１実施例と比較して分かるように、ボイスコイル６の第１の平行部６ａのみならず、ボイスコイル６の第２の平行部６ｂの一部も振動板５の凹部５ａ内に配置されている。そして、第２の平行部６ｂの一部は、凹部５ａの側面５ａｂに挟持された状態で固定されている。
【０１０５】
このように、第５実施例では、第１の平行部６ａのみならず、第２の平行部６ｂも振動板５の凹部５ａに固定されることになるので、振動系３１の振動時の強度向上及び安定化を図ることができる。なお、かかる構成に限定されず、本発明では、上記同様の目的を実現するべく、第１の平行部６ａの全部、及び第２の平行部６ｂの全部をそれぞれ凹部５ａ内に配置するようにしても構わない。
【０１０６】
また、かかる構成を採用すれば、第１実施例と比較して、より一層、スピーカー装置５００の薄型化を図ることができる。即ち、第１実施例では、スピーカー装置１００の高さは、ヨーク１の背面側からボイスコイル６の第２の平行部６ｂの上面側までの高さｄ１に設定されているのに対し、第５実施例では、スピーカー装置５００の高さは、ヨーク１の背面側から振動板５の放音部５ｂの放音側の頂部までの高さｄ８（＜ｄ６）に設定されており、第４実施例は、第１実施例と比較して、より一層、スピーカー装置５００の薄型化を図ることができる。なお、第５実施例に関するその他の作用効果は、第１実施例と略同様である。
【０１０７】
[第６実施例]
次に、図１０及び図１１を参照して、本発明の第６実施例に係るスピーカー装置６００の構成について説明する。図１０は、第６実施例のスピーカー装置６００を、その中心軸Ｌ１を通る平面で切断したときの断面図を示す。図１１（ａ）は、第６実施例に係るボイスコイル７の構成を概略的に示す斜視図を示す。一方、図１１（ｂ）は、図１１（ａ）におけるボイスコイル７の切断線Ａ−Ａ´に沿った断面図であり、特にボイスコイル７の短手方向を通る平面で切断したときの断面図を示す。なお、以下では、第１実施例と共通する要素については同一の符号を付し、その説明は簡略化又は省略する。
【０１０８】
第６実施例と第１実施例とを比較した場合、その両者の構成は略共通している。しかし、第６実施例は、ボイスコイル７の構成が第１実施例と異なっている。
【０１０９】
具体的には、ボイスコイル７は、１つのマイナス／プラスのリード線を有し、Ｙ字の断面形状をなし、一方向に延在する直方体及び角型棒状の形状を有する第１の平行部を有する第１部分７ａと、コの字状の形状を有する第２部分７ｂと、同じくコの字状の形状を有する第３部分７ｃと、を含んでなる。なお、第６実施例では、第１部分７ａと第１の平行部とは同一なので、以下では、第１部分７ａを第１の平行部７ａとも称する。
【０１１０】
第１の平行部７ａは、振動板５の凹部５ａの長手方向の長さと略同一の長さを有する。第２部分７ｂは、第１の平行部７ａと平行な方向に延在する第２の平行部７ｂａを含み、その第１の平行部７ａとの間で環状の形状を形成する。第３部分７ｃは、第１の平行部７ａと平行な方向に延在し且つ且つ磁束の延在方向Ｙ２に対応する、第１の平行部７ａの幅方向の中心を通る中心線（図１０の中心軸Ｌ１及び図１１の中心線Ｌ３）に対して第２の平行部７ｂａと対称的な位置に配置される第３の平行部７ｃａを含み、その第１の平行部７ａとの間で環状の形状を形成する。以上の構成により、第１部分７ａと、第２部分７ｂ及び第３部分７ｃとの間には、略矩形状の開口７ｄが夫々形成されている。好適な例では、ボイスコイル７に過大な音声電流が入力され、ボイスコイル７が振動板５の音の放射方向Ｙ１と逆方向に大きく移動した場合に、第２の平行部７ｂａ及び第３の平行部７ｃａが磁気ギャップ７０内に位置するように、第１の平行部７ａと、第２の平行部７ｂａ及び第３の平行部７ｃａとの位置関係が規定されているのが好ましい。
【０１１１】
このボイスコイル７では、図１１（ａ）に示すように、音声電流が第１の平行部７ａにおいて矢印Ｙ５方向に流れたと仮定した場合には、その音声電流は、第２の平行部７ｂａ及び第３の平行部７ｃａではそれぞれ矢印Ｙ５と逆側の矢印Ｙ６方向に流れることになる（図１１（ｂ）も参照）。つまり、このボイスコイル７では、第１の平行部７ａに流れる音声電流の方向（向き）と、第２の平行部７ｂａ及び第３の平行部７ｃａに流れる音声電流の方向（向き）とは相対的に逆向きの関係になっている。
【０１１２】
図１０に戻り、ボイスコイル７の第１の平行部７ａは、磁気ギャップ７０内に配置された振動板５の凹部５ａ内に配置されていると共に、当該第１の平行部７ａは、凹部５ａの側面５ａｂに狭持された状態で固定されている。ボイスコイル７の第２部分７ｂ及び第３部分７ｃは、振動板５の放音部５ｂ上に夫々固定されている。このように、第６実施例では、ボイスコイル７の全体が振動板５に固定されることになる。その結果、音再生時に振動板５を円滑に且つ安定的に移動させることができ、高品位な低音を得ることができる。また、かかる構成により、スピーカー装置６００の高さは、ヨーク１の背面側から振動板５の放音部５ｂの頂部までの高さｄ８となる。よって、第６実施例は、第１実施例と比較して、より一層、スピーカー装置６００の薄型化を図ることができる。
【０１１３】
また、第６実施例では、何らかの原因によりボイスコイル７へ過大な音声電流が入力されると、上記した第１実施例と同様に、ボイスコイル７はヨーク１側に近づく方向に大きく移動する。そして、このとき、第２の平行部７ｂａ及び第３の平行部７ｃａと、第１の平行部７ａとの間に設けられた開口７ｄの中心位置がプレート３ａ及びプレート３ｂの各厚さ方向の中心軸Ｌ２と略一致すると、第１の平行部７ａに生じる駆動力と、その駆動力と逆向きの且つ同一の、第２の平行部７ｂａ及び第３の平行部７ｃａの各々に生じる駆動力とが一時的且つ瞬間的に均衡し、ボイスコイル７は、かかる位置からそれ以上ヨーク１側へは移動しなくなる。つまり、かかる位置から、ボイスコイル７のヨーク１側への移動が規制される。なお、振動板５は初期の位置に復帰する弾性力を有するため、ボイスコイル７等はそのような位置に止まることはなく、ボイスコイル７へ適正な音声電流が入力されると、次の瞬間にはその弾性力によりボイスコイル７等は上記した適正な振動状態に戻ることになる。このような作用により、第１実施例と同様に、振動板５の凹部５ａ付近の部分と、プレート３ａ及び／又はプレート３ｂとが接触又は衝突するのを防止できる。このため、第２の平行部７ｂａ及び第３の平行部７ｃａは、ボイスコイル７の音の放射方向Ｙ１と逆側への大振幅時に、当該方向へのボイスコイル７の移動を一時的且つ瞬間的に止める役割、即ちストッパーとしての役割を果たす。この点からも、スピーカー装置６００の薄型化に寄与し得る。なお、第６実施例に関するその他の作用効果は、第１実施例と略同様である。
【０１１４】
[変形例]
上記の第１実施例〜第６実施例では、ボイスコイル６の第１の平行部６ａの全部（全体）を振動板５の凹部５ａに配置するようにしたが、これに限らず、本発明では、ボイスコイル６の第１の平行部６ａの一部を振動板５の凹部５ａに配置するようにしても構わない。
【０１１５】
また、上記の第１実施例〜第５実施例では、スピーカー装置の形状に合わせるように、ボイスコイル６を長円状に且つリング状の平面形状に形成したが、これに限らず、本発明では、その趣旨を逸脱しない範囲において、スピーカー装置の形状に応じて、ボイスコイル６の形状を種々変形することが可能である。例えば、スピーカー装置の形状に応じて、図１２に示すように、ボイスコイル６を角型に且つ長方形状に且つリング状の平面形状を有するように形成してもよい。
[携帯電話機への適用例]
次に、本発明の第１実施例に係るスピーカー装置１００を、携帯電話機内の受信部及着信部に適用した例について説明する。なお、本発明では、上記した第２実施例〜第６実施例に係るスピーカー装置２００〜６００についても、かかる携帯電話機の受信部及び着信部に適用することは勿論可能である。
図１３は、この携帯電話機の構成を示す概略平面図である。同図に例示の携帯電話機８００は、ケース８００ｇの表側に設けられた、複数の操作ボタン８００ａ、表示部８００ｂ、受話口８００ｃ及び送話口８００ｄと、ケース８００ｇの裏側に設けられ、着信アラーム音を鳴らす機能を有する着信部８００ｅと、ケース８００ｇの一側面に設けられた送受信アンテナ８００ｆと、を備えて構成される。ここで、受信部８００ｃａは、受話口８００ｃの位置に対応するケース８００ｇ内に設けられている。以上の構成を有する携帯電話機８００では、高感度及び低音が得られ且つ薄型化及びスリム化が可能なスピーカー装置１００は、ケース８００ｇ内に搭載され、例えば受信部８００ｃａ及び着信部８００ｅに対応する位置に各々設けられる。
【図面の簡単な説明】
【０１１６】
【図１】本発明の第１実施例に係るスピーカー装置の構成を示す断面図。
【図２】第１実施例に係るスピーカー装置の構成を示す片側分解斜視図。
【図３】第１実施例に係るスピーカー装置の駆動原理を説明する断面図。
【図４】比較例に係るスピーカー装置の構成を示す断面図。
【図５】比較例と対比した第１実施例に係る作用効果を説明する振動板の断面図。
【図６】本発明の第２実施例に係るスピーカー装置の構成を示す断面図。
【図７】本発明の第３実施例に係るスピーカー装置の構成を示す断面図。
【図８】本発明の第４実施例に係るスピーカー装置の構成を示す断面図。
【図９】本発明の第５実施例に係るスピーカー装置の構成を示す断面図。
【図１０】本発明の第６実施例に係るスピーカー装置の構成を示す断面図。
【図１１】本発明の第６実施例に係るボイスコイルの部分断面図及び斜視図。
【図１２】変形例に係るボイスコイルの構成を示す平面図。
【図１３】本発明のスピーカー装置を用いた携帯電話機の平面図。
【符号の説明】
【０１１７】
１  ヨーク
２ａ、２ｂ、２ｃ、２ｄ  マグネット
３ａ、３ｂ  プレート
４  フレーム
４ａ  段部
５  振動板
５ａ  凹部
５ｂ  放音部
５ｃ  段部
６、７  ボイスコイル
６ａ  第１の平行部
６ｂ  第２の平行部
７ａ  第１の平行部
７ｂ  第２部分
７ｂａ  第２の平行部
７ｃ  第３部分
７ｃａ  第３の平行部
８  磁性体
３０  磁気回路
３１  振動系
７０  磁気ギャップ
１００、２００、３００、４００、５００、６００  スピーカー装置
８００  携帯電話機
【図１】
0004677341.tif 000002
【図２】
0004677341.tif 000003
【図３】
0004677341.tif 000004
【図４】
0004677341.tif 000005
【図５】
0004677341.tif 000006
【図６】
0004677341.tif 000007
【図７】
0004677341.tif 000008
【図８】
0004677341.tif 000009
【図９】
0004677341.tif 000010
【図１０】
0004677341.tif 000011
【図１１】
0004677341.tif 000012
【図１２】
0004677341.tif 000013
【図１３】
0004677341.tif 000014